(57)【特許請求の範囲】
【請求項１】
女性用ウエアーの前身が外気に当たる外側生地と肌に直接触れる内側生地の2枚から成るバストカップ付女性用アウトウエアーであって、
前記内側生地の胸部にはカップを収める為のダーツを取り一対のカップが前記内側生地の外側面に取り付けられ、
前記内側生地のアンダーバストからウエストに掛けて、脇側の巾が中心より広くなっている巾8cmから14cm巾の胸部安定部が設けられていることを特徴するバストカップ付女性用アウトウエアー。
【請求項２】
胸部安定部がパワーネットからなり、前記パワーネット自体は前身のウエストの巾寸法より15%から22%縮小して取り付けられていることを特徴とする請求項1記載のバストカップ付女性用アウトウエアー。
【発明の詳細な説明】
【技術分野】
【０００１】
本発明はブラジャーを着けなくとも女性の体形をよりよく保持する事を可能とし、又着心地に優れたバストカップ付女性用アウトウエアー及びその製造方法に関する。
【背景技術】
【０００２】
他の出願に於ける文献等の発明の発想は「下着」からの発想が大部分を占めブラ  ジャーからの変形、そしてパニエ及びボディーコンシャスからの変形であってアウ  ターウエアーとしての一字が入っているが、果たしてアウターウエアーとして着用  出来るか否かは疑問に思われるものである。当出願の発明の基本は種々のカットソ  ーにカップが付けられたら良いなと言う女性の要望、要するにノーブラジャーでア  ウターを着たい人々「すでにスタイルに自信の有る女性はノーブラでアウターを着  用」の期待に沿い発明したバストカップ付アウトウエアーである。この発明の基本  は「図１」「図2」「図3」で表した様に前身内側生地を作成しこれに前身外側生 地を重ね縫いした後、後身、袖、衿、等を縫合する製造方法であり、外見から見て  カップを付ける為の縫い目とか一切無く普通のウエアーと何等変わる事が無いのが  特徴であり、その前身内側がこの発明の基本である。
実願昭53−58435号  (実開昭54−161208) ［下記特許文献１］記載の女性用上  着の考案は本来のブラジャーの基本的な考えから脱却しておらず胸部裏面の共生地  にカップを付けカップの下部にパワーネットを縫いつけ前身と後身に挟み込み縫う  とあるが、次の3点に措いて無理があると思う。（1）  このカップの付け方では  乳房の膨らみが入る余裕が無い（乳房の無い人は別）。（2）  パワーネットを使  用していますがこの方法では腕を上げたり振ったりする運動では乳房が安定せずカ  ップから外れる。（3）  パワーネットが一部しか脇に掛かって居らずパワーネッ  トで前身側に引き寄せられ脇線が、く、の字のようになり商品として無理がある。  
実公昭54−11507号［下記特許文献２］は、外衣として着用可能なブラジャーに 関するものであるが、この考案には何等独創的なところが無くヨーロッパーの中世  時代のパニエにブラジャーを付けただけの物であり外着としては限られた人しか着  用できず一般人には着用は無理と思う。
特開2002−88507号［下記特許文献３］は、アウターウエアー兼用型インナーウ  エアーに関するものであるが、この出願された発明はあくまでデザインであって其  の中に有って実用性と斬新性に乏しい。
【特許文献１】実願昭53−58435号（実開昭54−161208号）マイクロフイ  ルム。
【特許文献２】実公昭54−11057号公報。
【特許文献３】特開2002−88507号公報。
【発明の開示】
【発明が解決しようとする課題】
【０００３】
従来女性の多くは胸部を美しく見せるためブラジャーを愛用してきた、ブラジャ  ー自体胸部を美しく見せる為の衣類であるが、反面ブラジャーを使用する事に因っ  て身体に無理をして来た。乳房の垂れを吊紐で支え、太めを細く魅せるため無理に  締め付けてきた、其の為に多くの女性には独特の肩凝りなど身体を痛めて来た、本  発明のバストカップ付女性用アウトウエアーはそうした問題を少しでも解決出来る  ものである。
又当発明は次に掲げる事に対し対応出来ると考える。
「若い女性の方」
乳房の小さい女性はバストが大きく見え、乳房は大きいが下降気味の女性はバス  トアップが図れ、従来ブラジャーを着用されてきた女性は当ウエアーを着用すれば  ノーブラジャー感覚でファッションを楽しめる。
「中高年の女性の方」
この年代の女性の多くは乳房が年と共に下降するため、そこで多数の方はブラジャ  ーを着用されている、ブラジャーによる締め付け、肩吊紐等で生じる肩凝りなど身  体を痛めて居られる女性、ブラジャーを着用しなくとも当ウエアーを着用すれば身  体も痛めず、バストアップが図れバストラインが美しく保てるのである。
「発育途上の少女の方」
身体の発育と共に乳房も発育する、特に乳首が衣服に触れ乳首を痛めるなどの少  女に、当発明のウエアーは苦痛を和らげ屈託なく着用でき、又おませな少女にはノ  ーブラジャー感覚で当ウエアーを着用できる。
「身体に障害(特に手の動きが不自由)のある女性」
健康体の人から比べて手の動きが不自由な女性がブラジャーを付けたり外したり  するのは大変苦痛を伴うものです。ですが女性の本能として美しく、スタイル良く  見せたいのは当然だと思われます。本発明ウエアーであればウエアー1枚着るだけ  でスタイルが保てブラジャーを着る苦痛から解放されると思う。
【課題を解決するための手段】
【０００４】
通常アウトウエアーは、前身、後身、袖、衿、等を縫い合わせて1枚のウェアーにな
るが、本発明のバストカップ付女性用アウトウエアーの前身内側生地は「図1」  の上部１と下部２とに別れ、上部１に一対のバスト位置Aにダーツ４を取って、膨  らんだ部分に「図３」及び「図４」の符号10のバスト位置Aにカップ６を取り付け  る。乳房をより以上安定さすため、「図3」「図4」の胸部安定部７に「図1」の  パワーネット3を縫い付ける。パワーネットを縫い付ける事で、運動性が強化され  乳房がカップから外れる事が無い。
【０００５】
他の文献では、衣類の種類が一種類であるのに対して、本発明では前身が全開で  無い限り、多くのデザインに対応できる。本来ウエアーの前身にカップを取り付け  る事自体無理であるが前身を2枚にすることで外見から見て普通のアウトウエアー  と何ら変わる事がない。
【０００６】
「図3」及び「図4」の符号10において胸部に一対のカップ６が取り付けられ胸  部の下方の胸部安定部７には「図3」「図4」で示すパワーネット3が縫い付けら  れる事によってバストが安定し、他の文献に開示の発明や考案と異なりノーブラジ  ャーが特色なので外見から見て表面に出る縫い目が一切無くウエアー自体がブラジ  ャーの役目を果たす。
【０００７】
女性の体形は其々である、バストの大きい人、小さい人、また垂れ気味の人、色  々であるが付帯する専用パットをカップの中に挿入する事で安定を図ることが出来  る、パットを挿入する為に挿入口（「図３」「図4」の符号8）を一対のカップ６  の縁を一部空けて置く、ウエアーの裾に1か所、前身外側生地と前身内側生地の間  に手が入るよう縫わないで「図8」「図９」符号17を明けておき専用パットが装着  できる様にする。
【０００８】
他の文献に有るように、前身のアンダーバストをゴムないしパワーネットで引張  ると脇ラインがゴムないしパワーネットの伸縮によって前身が引張られて脇ライン  に皺が出来、く、の字型になり衣類としての価値が無い。本発明のバストカップ付  アウトウエアーでは前身内側生地へのパワーネットの縫い付け方は「図3」の符号  7のように、脇は出来るだけ巾を広く取り中心に向かって巾を狭めていく。其のこ  とで前身の引張られる力が分散され脇ラインが普通のウエアーと同じように美しく  仕上がる。
【０００９】
本発明に使用する布は前身外側生地と内側生地は同種でも良いが、内側の布は薄  く伸縮の強い布を使用するのが好ましい、前身内側生地の身幅は「図3」符号７を  中心に前身外側より細くする、使用する布に選ってその差は異なる、前記において  パワーネットと記してるが現時点では最良の素材で有るが将来最良の素材が開発さ  れればパワーネットに限らない。
【発明の効果】
【００１０】
本発明によって今迄自分のバストラインに自信の持てなかった若い世代の女性は  バストアップが図れノーブラジャーの感覚で今迄のコンプレックスが解消されると  思う。
又乳房が下降気味の中高年世代の女性においては、今迄ブラジャーで締め付け肩  凝り等で身体を痛めていたが本発明のバストカップ付女性用アウトウエアーを着用  することで身体も気持もリラックスできるものと確信する。
【発明を実施するための最良の形態】
【００１１】
本発明バストカップ付女性用アウトウエアーの基本はウエアーの前身を外側生地  と内側生地の2枚に分けその内側生地の外側にカップ６を取り付けた事にある。
「図1」で示す様に前身内側生地は上部1、下部2、パワーネット3、から成る  。
「図2」で示す様に前身内側生地の上部1にダーツ4を取り下部2とウエスト5の  位置で縫い合わせる。
「図3」で示す様にトップバストAの位置に一対のカップ6を取り付けるが同時  に専用パットが挿入出来る様に挿入口符号8はカップを取り付ける時、空けておく  。パワーネット取付け位置7にパワーネット3を縫い付けて、前身内側「図3」が  出来あがる。
「図5」に示すカップの取付け方をする、前身内側生地11にカップ６を取り付け  、カップを前身外側生地12でカップを挟み込む様に取付ける、理由は外見から見て  前身外側生地12だけで他に何らの縫い目が無くカップの存在を意識しなくて済む、  
以上の手続を得て前身自体が出来る、その後「図8」で示す様に「図7」の後身1  8を符号14の位置で右肩継ぎし、首回りをパイピング16で縁飾りし、左肩継ぎし  、両袖口回りをパイピング16で縁飾りをし、脇13で両脇縫いをするが左脇裾よ  り手が入る程度縫わないで空けて置く。専用パットを挿入する為である。次に裾回  りの始末はデザインに選って色々の縫い方がある為ここではただ始末としておくが  、各箇所の間止めをして完成品になる。
【００１２】
ウエアーは身体に負担の掛からない形態が一番良いと思うが、現代社会では女性  の多くはバストは大きく、ウエストは細く、ヒップは形良くが、女性の願望である  が、その三点セットを一つのウエアーで解決するのは無理であるが、当発明のバス  トカップ付女性用アウトウエアーでも100%要望には答え切れないが、当発明の基本  を基に
ウエアーを作成すれば多数の女性の賛同が得られると考える。
【００１３】
本発明品は一種類のデザインに限らず、使用する素材もニット、カットソー、布帛  に至まで使用可能である。又アウターウエアーが主体で有るがインナーウエアーで  も展開できる、ウエアーのデザインも、半袖Tシャツ、長袖Tシャツ、ポロシャツ  、タンクトップ、ベアートップ、キャミソール、ワンピース、ジャンバスカート、  などその他種々色々なデザインに対応出来、実用性とファッション性を求める事が  出来る。
【図面の簡単な説明】
【００１４】
【図１】当発明のバストカップ付女性用アウトウエアーの基本である前身内側の  型紙を示す。
【図２】前身内側の製作第一段階の概略正面図。
【図３】前身内側の製作最終段階の概略正面図。
【図４】上記「図2」から「図3」の概略断面図。
【図５】当発明のポイント胸部の構造を示す拡大断面図。
【図６】前身外側の型紙を示す。
【図７】後身の型紙を示す。
【図８】当発明の出来上がり概略断面図を示す。
【図９】当発明の出来上がり概略正面図を示す。
【符号の説明】
【００１５】
1  当発明の前身内側生地の上部。
2前記前身内側生地の下部。
3胸部安定部に使用するパワーネット。
4前身内側生地上部のダーツの位置。
5前身内側生地上部と前身内側生地下部とをウエストの位置で縫い合わせる縫 い合わせ位置。
6カップ。
7パワーネットを縫い付ける位置。
8専用パット挿入口。
9「図2」の概略断面図。
10「図3」の概略断面図。
11前身内側生地を示す。
12前身外側生地を示す。
13前身と後身との脇縫い部分。
14肩継ぎ。
15裾縫い部分。
16パイピングでの縁飾り。
17裾回り縫い始末する時、専用パット挿入口として縫わないでおく箇所。
18後身。
A−トップバストライン。
B−アンダバストライン。
C−ウエストライン。
D−「図2」でダーツを取った位置。
【図１】
0004135160.tif 000002
【図２】
0004135160.tif 000003
【図３】
0004135160.tif 000004
【図４】
0004135160.tif 000005
【図５】
0004135160.tif 000006
【図６】
0004135160.tif 000007
【図７】
0004135160.tif 000008
【図８】
0004135160.tif 000009
【図９】
0004135160.tif 000010